(57)【要約】【課題】フランジ部の車内側面に向けて飛散される泥水の受け止め領域を大きくしてフランジ部の車内側面を伝う泥水の浸入を抑制することができる車輪用転がり軸受装置を提供する。【解決手段】複数のハブボルト１２が配設されるフランジ部１３を有する内輪部材１１と、外輪部材３０と、転動体４０と、密封装置５０とを備える。密封装置５０は、外輪部材３０の内周面に装着され、かつ内輪部材１１のフランジ部１３の基部１３ａ近傍に摺接されるアキシャルリップ６１と内輪部材１１の外周面に摺接されるラジアルリップ６２とを有するシール部材５１によって構成される。シール部材５１の外周には、複数のハブボルト１２のボルト頭部１２ａの配設内径円寸法Ａよりも大きい外径寸法Ｃに形成された環状衝立体７０が一体状に形成される。環状衝立体７０の外周部には、ハブボルト１２のボルト頭部１２ａが軸方向に挿通可能な切欠部７５が形成されている。【選択図】図２
2013194908.tif 000002
【特許請求の範囲】
【請求項１】
複数のハブボルトが配設されるフランジ部を有する内輪部材と、前記フランジ部に一端が対向する外輪部材と、前記内・外輪の両部材の間の環状空間に転動可能に配設される転動体と、前記環状空間の前記フランジ部側の開口部を密封する密封装置とを備えた車輪用転がり軸受装置であって、
前記密封装置は、前記外輪部材の内周面に装着され、かつ前記内輪部材のフランジ部の基部近傍に摺接されるアキシャルリップと前記内輪部材の外周面に摺接されるラジアルリップとを有するシール部材によって構成され、
前記シール部材の外周には、前記外輪部材の外周面を越え、かつ前記複数のハブボルトのボルト頭部の配設内径円寸法よりも大きい外径寸法に形成された環状衝立体が一体状に形成され、
前記環状衝立体の外周部には、前記ハブボルトのボルト頭部が軸方向に挿通可能な切欠部が形成されていることを特徴とする車輪用転がり軸受装置。
【請求項２】
請求項１に記載の車輪用転がり軸受装置であって、
環状衝立体の車内側面には、外輪部材の外周面と協働して環状溝を構成する突輪部が形成され、
前記環状衝立体の切欠部は、車輪設置面側に位置する部分に形成されると共に、前記突輪部にわたって形成されて泥水等の排出部としていることを特徴とする車輪用転がり軸受装置。
【発明の詳細な説明】
【技術分野】
【０００１】
この発明は車輪用転がり軸受装置に関する。
【背景技術】
【０００２】
従来、車輪用転がり軸受装置においては、外周面にフランジ部を有する内輪部材と、フランジ部に一端が対向する外輪部材と、内・外輪の両部材の間の環状空間に転動可能に配設される転動体と、環状空間のフランジ部側の開口部を密封する密封装置とを備えた構造のものが知られている。
このような車輪用転がり軸受装置において、環状空間のフランジ部側の開口部を密封する密封装置は、シール部材によって構成される。
このシール部材は、外輪部材の一端部（内輪部材のフランジ部側の端部）の内周面に圧入される筒状部を有する芯金と、この芯金から延出されたゴム弾性を有するアキシャルリップと、ラジアルリップとを有している。
そして、アキシャルリップは、内輪部材のフランジ部の車内側面の基部（根元部）近傍に摺接し、ラジアルリップは内輪部材の車外側軌道肩部の外周面に摺接している。
また、シール性能を向上させるため、例えば、特許文献１に開示されている。これにおいては、密封装置が、内輪部材（ハブ）の外周面および／または該外周面に連続するフランジ部の内側面と摺接してシールするリップを有する接触型シール部材と、外輪部材の半径方向外側において、フランジ部の車内側面との間でシールする非接触型シール部材と、を有している。
【先行技術文献】
【特許文献】
【０００３】
【特許文献１】特開２００５−３２５８６８号公報
【発明の概要】
【発明が解決しようとする課題】
【０００４】
ところで、特許文献１に開示されたものにおいては、外輪部材の半径方向外側において、フランジ部の内側面との間でシールする非接触型シール部材を配設することによってシール性能を向上させることができる。
しかしながら、特許文献１に開示されたものにおいては、非接触型シール部材は、外輪部材の外周に固定され、その先端部がフランジ部の車内側面の基部近傍に近接して配置される。
このため、車両走行時に車輪が跳ね上げる泥水等がフランジ部の車内側面に向けて飛散されると、一部の泥水がフランジ部の車内側面を伝って非接触型シール部材を通過し、内部に浸入することが想定される。
【０００５】
この発明の目的は、前記問題点に鑑み、フランジ部の車内側面に向けて飛散される泥水の受け止め領域を大きくしてフランジ部の車内側面を伝う泥水の浸入を抑制することができる車輪用転がり軸受装置を提供することである。
【課題を解決するための手段】
【０００６】
前記課題を解決するために、この発明の請求項１に係る車輪用転がり軸受装置は、複数のハブボルトが配設されるフランジ部を有する内輪部材と、前記フランジ部に一端が対向する外輪部材と、前記内・外輪の両部材の間の環状空間に転動可能に配設される転動体と、前記環状空間の前記フランジ部側の開口部を密封する密封装置とを備えた車輪用転がり軸受装置であって、前記密封装置は、前記外輪部材の内周面に装着され、かつ前記内輪部材のフランジ部の基部近傍に摺接されるアキシャルリップと前記内輪部材の外周面に摺接されるラジアルリップとを有するシール部材によって構成され、前記シール部材の外周には、前記外輪部材の外周面を越え、かつ前記複数のハブボルトのボルト頭部の配設内径円寸法よりも大きい外径寸法に形成された環状衝立体が一体状に形成され、前記環状衝立体の外周部には、前記ハブボルトのボルト頭部が軸方向に挿通可能な切欠部が形成されていることを特徴とする。
【０００７】
前記構成によると、車両走行時に車輪が跳ね上げる泥水のうち、フランジ部の車内側面に向けて飛散される泥水を、シール部材の外周に一体状に形成された環状衝立体によって受け止めることができる。
環状衝立体は、ハブボルトのボルト頭部の配設内径円寸法よりも大きい外径寸法に形成されるため、フランジ部の車内側面に向けて飛散される泥水の受け止め領域を大きくすることができる。これによって、フランジ部の車内側面を伝う泥水の浸入を抑制することができる。
また、フランジ部に対しハブボルトを脱着交換する場合には、環状衝立体の切欠部に対応する位置にハブボルトのボルト頭部が配置されるように、外輪部材に対し内輪部材を相対回転させる。
そして、環状衝立体の切欠部に対応する位置にハブボルトのボルト頭部が配置された状態において、ハブボルトのボルト頭部が環状衝立体の切欠部を通して軸方向に挿通されることで、フランジ部に対しハブボルトの脱着交換を容易に行うことができる。
【０００８】
請求項２に係る車輪用転がり軸受装置は、請求項１に記載の車輪用転がり軸受装置であって、環状衝立体の車内側周縁部には、外輪部材の外周面と協働して環状溝を構成する突輪部が形成され、前記環状衝立体の切欠部は、車輪設置面側に位置する部分に形成されると共に、前記突輪部にわたって形成されて泥水等の排出部としていることを特徴とする。
【０００９】
前記構成によると、シール部材の環状衝立体によって受け止められた泥水は、環状衝立体の突輪部と外輪部材の外周面との協働によって形成された環状溝に沿って下方へ流れた後、環状衝立体の切欠部を排出部として外部へ排出される。このため、泥水が環状溝内に溜まることがない。
【図面の簡単な説明】
【００１０】
【図１】この発明の実施例１に係る車輪用転がり軸受装置を示す縦断面図である。
【図２】車輪用転がり軸受装置の内・外輪の両部材の間の環状空間のフランジ部側の開口部に密封装置が配設された状態を拡大して示す縦断面図である。
【図３】環状衝立体を有するシール部材を車内側から示す斜視図である。
【図４】環状衝立体を有するシール部材を車内側から示す正面図である。
【発明を実施するための形態】
【００１１】
この発明を実施するための形態について実施例にしたがって説明する。
【実施例１】
【００１２】
図１に示すように、車輪用転がり軸受装置は、内輪部材１１と、外輪部材３０と、これら内輪部材１１と外輪部材３０との間の環状空間に複列をなして転動可能に配設されかつ保持器４２、４３によって保持された複列の転動体（図１では玉）４０、４１と、密封装置５０とを備えている。
【００１３】
内輪部材１１は、軸部１４と、この軸部１４の車外側端部の外周面から径方向外方に突出されたフランジ部１３とを一体に備えている。
また、フランジ部１３の基部１３ａは、車内側に向けて突出されて厚肉に形成された段差状に形成され、基部１３ａの内径部がアール面１３ｂをもって内輪部材１１の車外側内輪軌道面２６の車外側軌道肩部２７に連続している。
また、この実施例１において、内輪部材１１のフランジ部１３には複数のボルト孔が所定ピッチで貫設され、これらボルト孔には、車輪を締め付けるための複数のハブボルト１２の軸部が圧入によって所定ピッチで配設されている。
【００１４】
図１と図２に示すように、外輪部材３０は、円筒状に形成され、内輪部材１１の軸部１４の外周面に環状空間を隔てて同一中心線上に配設されている。
また、外輪部材３０の外周面にはフランジ部３１が一体に形成され、車輪用転がり軸受装置（車輪用ハブユニット）は、フランジ部３１において、車体側部材、例えば、車両の懸架装置（図示しない）に支持されたナックル、又はキャリアの取付面にボルトによって締め付けられて固定される。
【００１５】
図１と図２に示すように、密封装置５０は、内輪部材１１と外輪部材３０とがなす環状空間の車外側開口部（内輪部材１１のフランジ部１３側の開口部）に装着されて車外側開口部を密封する。
また、密封装置５０は、シール部材５１と、環状衝立体７０とを一体状に有して構成されている。
【００１６】
図２に示すように、シール部材５１は、金属製の芯金５２と、ゴム弾性を有する弾性シール体６０とを一体に備える。
芯金５２は、外輪部材３０の車外側端部内周面に圧入される筒状部５３と、この筒状部５３の車外側端部から径方向内方へ段差状に突出された段差部５４と、この段差部５４の車外側端部から径方向内方へ突出された環状部５５と、この環状部５５の内径端から折返し状に曲げ加工された内径曲げ部５６とを有している。
弾性シール体６０は、芯金５２の環状部５５及び内径曲げ部５６の車外側面全面に接着された弾性層６０ａと、この弾性層６０ａから車外側へ向けてしだいに拡径された状態で突出された単数（複数でもよい）のアキシャルリップ６１と、弾性層６０ａの内径端から径方向内方へ突出された複数（単数でもよい）のラジアルリップ６２、６３とを有している。
そして、アキシャルリップ６１の先端部が内輪部材１１のフランジ部１３の基部１３ａアール面１３ｂに摺接し、ラジアルリップ６２、６３の先端部が内輪部材１１の車外側内輪軌道面２６の車外側軌道肩部２７の外周面に摺接する。
【００１７】
環状衝立体７０は、シール部材５１の芯金５２の段差部５４の外周面から径方向外方へ突出されると共に、外輪部材３０の車外側端部外周面を越え、かつ複数のハブボルト１２のボルト頭部１２ａの配設内径円寸法Ａよりも大きい外径寸法Ｃに形成されている。
この実施例１において、環状衝立体７０の外径寸法Ｃは、複数のハブボルト１２の配設ピッチ円寸法Ａと同等に設定されている。
【００１８】
また、環状衝立体７０は、アキシャルリップ６１及びラジアルリップ６２、６３を形成している弾性シール体６０と同材質のゴム材、軟質合成樹脂材等の弾性体によって一体連続状に形成されている。
また、図２〜図４に示すように、環状衝立体７０の外周部には、ハブボルト１２のボルト頭部１２ａが軸方向に挿通可能な単数（又はハブボルト１２と同数で同配設ピッチの複数であってもよい）の切欠部７５が形成されている。
【００１９】
また、この実施例１において、外輪部材３０の車外側端部内周面に対し、シール部材５１がその芯金５２の筒状部５３で装着（圧入固定）された状態において、環状衝立体７０の車内側面は、外輪部材３０の車外側端面に密接される。
さらに、環状衝立体７０の車内側周縁部には、外輪部材３０の車外側の端部外周面と協働して環状溝７２を構成する突輪部７１が一体に形成されている。
また、切欠部７５は、環状衝立体７０の車輪設置面側（下部）に位置する部分に形成される。さらに、切欠部７５は突輪部７１の部分にわたって形成され、泥水等の排出部としている。
【００２０】
この実施例１に係る車輪用転がり軸受装置は上述したように構成される。
したがって、車両走行時に車輪が跳ね上げる泥水のうち、内輪部材１１のフランジ部１３の車内側面に向けて飛散される泥水は、シール部材５１の外周に一体状に形成された環状衝立体７０によって受け止められる。
環状衝立体７０は、複数のハブボルト１２のボルト頭部１２ａの配設内径円寸法Ａよりも大きい外径寸法Ｃに形成される。このため、内輪部材１１のフランジ部１３の車内側面に向けて飛散される泥水の受け止め領域を大きくすることができる。これによって、内輪部材１１のフランジ部１３の車内側面を伝う泥水の浸入を抑制することができる。
【００２１】
また、この実施例１において、環状衝立体７０によって受け止められた泥水は、環状衝立体７０の突輪部７１と外輪部材３０の車外側の端部外周面との協働によって形成された環状溝７２に沿って下方へ流れた後、環状衝立体７０の切欠部７５を排出部として外部へ排出される。このため、泥水が環状溝７２内に溜まることがない。
【００２２】
また、この実施例１において、内輪部材１１のフランジ部１３に対しハブボルト１２をを脱着交換する場合には、環状衝立体７０の切欠部７５に対応する位置にハブボルト１２のボルト頭部１２ａが配置されるように、外輪部材３０に対し内輪部材１１が相対回転される。
そして、前記したように、環状衝立体７０の切欠部７５に対応する位置にハブボルト１２のボルト頭部１２ａが配置された状態において、ハブボルト１２のボルト頭部１２ａが環状衝立体７０の切欠部７５を通して軸方向に挿通される。これによって、内輪部材１１のフランジ部１３に対しハブボルト１２が容易に脱着交換される。
【００２３】
なお、この発明は前記実施例１〜３に限定するものではなく、この発明の要旨を逸脱しない範囲内において、種々の形態で実施することができる。
【符号の説明】
【００２４】
１１  内輪部材
１２  ハブボルト
１２ａ  ボルト頭部
１３  フランジ部
３０  外輪部材
４０、４１  転動体
５０  密封装置
５１  シール部材
６１  アキシャルリップ
６２、６３  ラジアルリップ
７０  環状衝立体
７１  突輪部
７２  環状溝
７５  切欠部
【図１】
2013194908.tif 000003
【図２】
2013194908.tif 000004
【図３】
2013194908.tif 000005
【図４】
2013194908.tif 000006